(57)【要約】【課題】ピンのカバーの無いピアスに、簡単で安価で丈夫なピンのカバーを付ける。【解決の手段】ピアスのキャッチに先端を丸めた筒を取り付け、先端を丸めた筒をピアスのピン先を被うカバーとする。【選択図】    図７
2004223195.tif 000002
【特許請求の範囲】
【請求項１】
ピアスのキャッチａの渦巻バネｂの円形の穴に取り付ける、ピアスのピンｄ先を被うカバーＡで、弾力性の有る筒Ｆの片端に二個の切込みＧを貫通して開け、二個の切込みＧの入り口の左右に突起Ｈを取り付け、筒Ｆの突起Ｈの間を広げ、ピアスのキャッチａの渦巻バネｂの円形の穴に筒Ｆの切込みＧの左右の突起Ｈを両側から入れて取り付け、筒Ｆの突起Ｈの間を狭めて、弾力性の有る筒Ｆの内側への圧力で筒Ｆの突起Ｈとキャッチａの渦巻バネｂの円形の穴を接続し、筒ＦをピアスのピンｄのカバーＡとして、カバーＡの内側への圧力でキャッチａの渦巻バネｂの円形の穴からカバーＡがはずれないようにした、以上のことを特徴とするピアスキャッチに取り付けるピアスのピンのカバー。
【請求項２】
ピアスのキャッチａの外側の縁に取り付ける、ピアスのピンｄ先を被うカバーＢで、弾力性の有る筒Ｋの片端に二個の切込みＬを貫通して開け、二個の切込みＬの入り口の左右に向い合って突起Ｍを取り付け、筒Ｋの突起Ｍの間を広げ、筒Ｋの向い合った突起Ｍの間にピアスのキャッチａの外側の縁を取り付け、筒Ｋの突起Ｍの間を狭めて、弾力性の有る筒Ｋの内側への圧力で筒Ｋの突起Ｍとキャッチａの外側の縁を固定し、筒ＫをピアスのピンｄのカバーＢとして、カバーＢの内側への圧力でピアスのキャッチの外側の縁からカバーＢがはずれないようにした、以上のことを特徴とするピアスキャッチに取り付けるピアスのピンのカバー。
【請求項３】
ピアスのキャッチａの渦巻バネｂの円形の縁の外側に取り付ける、ピアスのピンｄ先を被うカバーＣで、弾力性の有る筒Ｐの内側に向い合って二個の溝Ｑを彫り、筒Ｐの入り口を広げ、筒Ｐの溝Ｑにピアスのキャッチａの渦巻バネｂの円形の縁を取り付け、筒Ｐの入り口を狭めて、弾力性の有る筒Ｐの内側への圧力で筒Ｐの溝Ｑとキャッチａの渦巻バネｂの円形の縁を固定し、筒ＰをピアスのピンのカバーＣとして、カバーＣの内側への圧力で渦巻バネｂの円形の縁とカバーＣの内側の溝Ｑがはずれないようにした、以上のことを特徴とするピアスキャッチに取り付けるピアスのピンのカバー。
【請求項４】
ピアスのキャッチａの渦巻バネｂの穴に取り付ける、ピアスのピンｄ先を被うカバーＤで、筒Ｓ１の外側に筒Ｒ１を取り付け、筒Ｓ１と筒Ｒ１とは擦って移動できるようにして筒の全体の長さを調節できるようにし、筒Ｒ１の片端に二個の穴ｈを開けて、キャッチａの渦巻バネｂの円形の穴の輪と筒Ｒ１の片端の穴ｈの輪とをつなぎ合わせて取り付けた、以上のことを特徴とするピアスキャッチに取り付けるピアスのピンのカバー。
【請求項５】
ピアスのキャッチに取り付ける、ピアスのピンｄ先を被うカバーＥで、筒Ｗ１の外側に筒Ｖ１を取り付け、筒Ｖ１と筒Ｗ１とは擦って移動できるようにして筒の全体の長さを調節できるようにし、筒Ｖ１の片端をキャッチＵの表面に取り付けた、以上のことを特徴とするピアスキャッチに取り付けるピアスのピンのカバー。
【発明の詳細な説明】
【０００１】
【発明の属する技術分野】
ピアスのピンのカバーの技術。
【０００２】
【従来の技術】
大多数のピアスのピン先が剥き出しで、ピン先が頭に触れて痛い。
【０００３】
【発明が解決しようとする課題】
ピンのカバーの無いピアスに、簡単で安価で丈夫なピンのカバーを付ける。
【０００４】
【課題を解決するための手段】
ピアスのキャッチに先端を丸めた筒を取り付け、先端を丸めた筒をピアスのピン先を被うカバーとする。
【０００５】
【発明の実施の形態】
発明の実施の形態を図面を参照して説明する。
図１において、ピアスのキャッチａの渦巻バネｂの円形の穴に取り付ける、ピアスのピンｄ先を被うカバーＡで、弾力性の有る筒Ｆの片端に二個の切込みＧを貫通して開け、二個の切込みＧの入り口の左右に突起Ｈを取り付けた、以上のことを特徴とするピアスキャッチに取り付けるピアスのピンのカバーである。
【０００６】
図２において、ピアスのピンｄ先をカバーＡで被うため、筒Ｆの突起Ｈの間を広げ、ピアスのキャッチａの渦巻バネｂの円形の穴に筒Ｆの切込みＧの左右の突起Ｈを両側から入れて取り付け、筒Ｆの突起Ｈの間を狭めて、弾力性の有る筒Ｆの内側への圧力で筒Ｆの突起Ｈとキャッチａの渦巻バネｂの円形の穴を接続し、筒ＦをピアスのピンｄのカバーＡとして、カバーＡの内側への圧力でキャッチａの渦巻バネｂの円形の穴からカバーＡがはずれないようにした、以上のことを特徴とするピアスキャッチに取り付けるピアスのピンのカバーである。
【０００７】
図３において、ピアスのキャッチａの円形プレートｃの外側の縁に取り付ける、ピアスのピンｄ先を被うカバーＢで、弾力性の有る筒Ｋの片端に二個の切込みＬを貫通して開け、二個の切込みＬの入り口の左右に向い合って突起Ｍを取り付けた、以上のことを特徴とするピアスキャッチに取り付けるピアスのピンのカバーである。
【０００８】
図４において、ピアスのピンｄ先をカバーＢで被うため、筒Ｋの突起Ｍの間を広げ、筒Ｋの向い合った突起Ｍの間にピアスのキャッチａの円形プレートｃの外側の縁を取り付け、筒Ｋの突起Ｍの間を狭めて、弾力性の有る筒Ｋの内側への圧力で筒Ｋの突起Ｍとキャッチａの円形プレートｃの外側の縁を固定し、筒ＫをピアスのピンｄのカバーＢとして、カバーＢの内側への圧力でピアスのキャッチの円形プレートｃの外側の縁からカバーＢがはずれないようにした、以上のことを特徴とするピアスキャッチに取り付けるピアスのピンのカバーである。
【０００９】
図５において、ピアスのキャッチａの渦巻バネｂの円形の縁の外側に取り付ける、ピアスのピンｄ先を被うカバーＣで、弾力性の有る筒Ｐの内側に向い合って二個の溝Ｑを彫った、以上のことを特徴とするピアスキャッチに取り付けるピアスのピンのカバーである。
【００１０】
図６において、ピアスのピンｄ先をカバーＢで被うため、筒Ｐの入り口を広げ、筒Ｐの溝Ｑにピアスのキャッチａの渦巻バネｂの円形の縁を取り付け、筒Ｐの入り口を狭めて、弾力性の有る筒Ｐの内側への圧力で筒Ｐの溝Ｑとキャッチａの渦巻バネｂの円形の縁を固定し、筒ＰをピアスのピンのカバーＣとして、カバーＣの内側への圧力で渦巻バネｂの円形の縁とカバーＣの内側の溝Ｑがはずれないようにした、以上のことを特徴とするピアスキャッチに取り付けるピアスのピンのカバーである。
【００１１】
図７において、ピアスのキャッチａの渦巻バネｂの穴に取り付ける、ピアスのピンｄ先を被うカバーＤで、筒Ｓ１の外側に筒Ｒ１を取り付け、筒Ｓ１と筒Ｒ１とは擦って移動できるようにして筒の全体の長さを調節できるようにし、筒Ｒ１の片端に二個の穴ｈを開けて、キャッチａの渦巻バネｂの円形の穴の輪と筒Ｒ１の片端の穴ｈの輪とをつなぎ合わせて取り付けた、以上のことを特徴とするピアスキャッチに取り付けるピアスのピンのカバーである。
【００１２】
図８において、ピアスのキャッチに取り付ける、ピアスのピンｄ先を被うカバーＥで、筒Ｗ１の外側に筒Ｖ１を取り付け、筒Ｖ１と筒Ｗ１とは擦って移動できるようにして筒の全体の長さを調節できるようにし、キャッチＵの表面に筒Ｖ１の片端をビス留めして、溶接して、接着して又は包み込んで取り付けた、以上のことを特徴とするピアスキャッチに取り付けるピアスのピンのカバーである。
【００１３】
【実施例】
発明の実施例を図面を参照して説明する。
図１において、ピアスのキャッチａの渦巻バネｂの円形の穴に取り付ける、ピアスのピンｄ先を被うカバーＡで、片端を半球で塞いだ円筒形Ｆを弾力性の有る金属で作り、円筒形Ｆの片端に二個の四角い切込みＧを貫通して開け、二個の四角い切込みＧの入り口の左右に三角形の突起Ｈを取り付けた、以上のことを特徴とするピアスキャッチに取り付けるピアスのピンのカバーである。
【００１４】
図２において、ピアスのピンｄ先をカバーＡで被うため、円筒形Ｆの突起Ｈの間を広げ、ピアスのキャッチａの渦巻バネｂの円形の穴に左右の三角形の突起Ｈを両側から入れて取り付け、円筒形Ｆの突起Ｈの間を狭めて、弾力性の有る円筒形Ｆの内側への圧力で円筒形Ｆの突起Ｈとキャッチａの渦巻バネｂの円形の穴を接続し、円筒形ＦをピアスのピンｄのカバーＡとして、カバーＡの内側への圧力でキャッチａの渦巻バネｂの円形の穴からカバーＡがはずれないようにした、以上のことを特徴とするピアスキャッチに取り付けるピアスのピンのカバーである。
【００１５】
図３において、ピアスのキャッチａの円形プレートｃの外側の縁に取り付ける、ピアスのピンｄ先を被うカバーＢで、片端を半球で塞いだ円筒形Ｋを弾力性の有る金属で作り、円筒形Ｋの片端に二個の切込みＬを貫通して開け、二個の切込みＬの入り口の左右に向い合って劣弧の形で三角形の突起Ｍを取り付けた、以上のことを特徴とするピアスキャッチに取り付けるピアスのピンのカバーである。
【００１６】
図４において、ピアスのピンｄ先をカバーＢで被うため、円筒形Ｋの突起Ｍの間を広げ、円筒形Ｋの向い合った突起Ｍの間にピアスのキャッチａの円形プレートｃの外側の縁を取り付け、円筒形Ｋの突起Ｍの間を狭めて、弾力性の有る円筒形Ｋの内側への圧力で円筒形Ｋの突起Ｍとキャッチａの円形プレートｃの外側の縁を固定し、円筒形ＫをピアスのピンｄのカバーＢとして、カバーＢの内側への圧力でピアスのキャッチの円形プレートｃの外側の縁からカバーＢがはずれないようにした、以上のことを特徴とするピアスキャッチに取り付けるピアスのピンのカバーである。
【００１７】
図５において、ピアスのキャッチａの渦巻バネｂの円形の縁の外側に取り付ける、ピアスのピンｄ先を被うカバーＣで、片端を半球で塞いだ円筒形Ｐを弾力性の有る高分子化合物で作り、円筒形Ｐの内側に向い合って渦巻バネｂの円形の縁の外側と同じ形の劣弧（円形）の二個の溝Ｑを彫った、以上のことを特徴とするピアスキャッチに取り付けるピアスのピンのカバーである。
【００１８】
図６において、ピアスのピンｄ先をカバーＢで被うため、円筒形Ｐの入り口を広げ、円筒形Ｐの劣弧（円形）の溝Ｑにピアスのキャッチａの渦巻バネｂの円形の縁を取り付け、円筒形Ｐの入り口を狭めて、弾力性の有る円筒形Ｐの内側への圧力で、円筒形Ｐの溝Ｑとキャッチａの渦巻バネｂの円形の縁を圧して固定し、円筒形ＰをピアスのピンのカバーＣとして、カバーＣの内側への圧力で渦巻バネｂの円形の縁とカバーＣの内側の溝Ｑがはずれないようにした、以上のことを特徴とするピアスキャッチに取り付けるピアスのピンのカバーである。
【００１９】
図７において、ピアスのキャッチａの渦巻バネｂの穴に取り付ける、ピアスのピンｄ先を被うカバーＤで、片端を半球で塞ぎもう一方の片端にストッパーＳ２を取り付けた円筒形Ｓ１を弾力性の有る金属で作り、片端にストッパーＲ２を取り付けた円筒形Ｒ１を弾力性の有る金属で作り、円筒形Ｓ１の外側に円筒形Ｒ１を取り付け、円筒形Ｓ１と円筒形Ｒ１とは擦って移動できるようにして二個の円筒形全体の長さを調節できるようにし、円筒形Ｒ１のストッパーＲ２を取り付けていない片端に二個の穴ｈを開けて、キャッチａの渦巻バネｂの円形の穴の輪と円筒形Ｒ１の片端の穴ｈの輪とをつなぎ合わせて取り付けた、以上のことを特徴とするピアスキャッチに取り付けるピアスのピンのカバーである。
【００２０】
図８において、ピアスのキャッチに取り付ける、ピアスのピンｄ先を被うカバーＥで、片端を半球で塞ぎもう一方の片端にストッパーＸ２を取り付けた円筒形Ｘ１を弾力性の有る金属で作り、両端にストッパーＷ２を取り付けた円筒形Ｗ１を弾力性の有る金属で作り、片端にストッパーＶ２を取り付けた円筒形Ｖ１を弾力性の有る金属で作り、円筒形Ｘ１の外側に円筒形Ｗ１を取り付け、円筒形Ｗ１の外側に円筒形Ｖ１を取り付け、円筒形Ｘ１と円筒形Ｗ１とは擦って移動できるようにして二個の円筒形全体の長さを調節できるようにし、円筒形Ｗ１と円筒形Ｖ１とは擦って移動できるようにして二個の円筒形全体の長さを調節できるようにし、円筒形Ｖ１の片端を弾力性の有る金属又は高分子化合物で作ったキャッチＵに埋め込んで取り付けた、以上のことを特徴とするピアスキャッチに取り付けるピアスのピンのカバーである。
【００２１】
【発明の効果】
ピンのカバーの無いピアスに、簡単で安価で丈夫なピンのカバーが取り付けできる。
【図面の簡単な説明】
【図１】実施例のピアスのピンのカバーの図。
【図２】実施例のキャッチの円形の穴にピンのカバーを取り付けた図。
【図３】実施例のピアスのピンのカバーの図。
【図４】実施例のキャッチの外側の縁にピンのカバーを取り付けた図。
【図５】実施例のピアスのピンのカバーの図。
【図６】実施例のキャッチの円形の穴の外側の縁にピンのカバーを取り付けた図。
【図７】実施例の長さが調整できるピンのカバーをキャッチの円形の穴に取り付けた図。
【図８】実施例の長さが調整できるピンのカバーをキャッチに取り付けた図。
【符号の説明】
Ａ，Ｂ，Ｃ，Ｄ，Ｅ：ピアスのピンのカバー。    Ｆ，Ｋ，Ｐ，Ｒ１，Ｓ１，Ｖ１，Ｗ１，Ｘ１：筒。    Ｇ，Ｌ：切込み。    Ｈ，Ｍ：突起。    Ｑ：溝。Ｒ２，Ｓ２，Ｖ２，Ｗ２，Ｘ２：筒に取り付けたストッパー。    Ｕ，ａ：ピアスのキャッチ。    ｂ：キャッチの渦巻バネ。    ｃ：キャッチの円形プレート。    ｄ：ピン。    ｅ：装飾パーツ。    ｈ：筒の穴。
【図１】
2004223195.tif 000003
【図２】
2004223195.tif 000004
【図３】
2004223195.tif 000005
【図４】
2004223195.tif 000006
【図５】
2004223195.tif 000007
【図６】
2004223195.tif 000008
【図７】
2004223195.tif 000009
【図８】
2004223195.tif 000010
【手続補正書】
【提出日】平成15年7月2日(2003.7.2)
【手続補正１】
【補正対象書類名】明細書
【補正対象項目名】特許請求の範囲
【補正方法】変更
【補正の内容】
【特許請求の範囲】
【請求項１】
ピアスのキャッチａの渦巻バネｂで囲まれた円形の穴に取り付ける、ピアスのピンｄ先を被うカバーＡで、弾力性の有る筒Ｆの片端に二個の切込みＧを筒Ｆの両側面に貫通して開け、筒Ｆの入り口部分において、切込みＧに内向きに対向して突起Ｈを取り付け、筒Ｆの突起Ｈの間を広げ、ピアスのキャッチａの渦巻バネｂで囲まれた円形の穴に筒Ｆの切込みＧの左右の突起Ｈを両側から入れて取り付け、筒Ｆの突起Ｈの間を狭めて、弾力性の有るカバーＡの内側への圧力で筒Ｆの突起Ｈとキャッチａの渦巻バネｂで囲まれた円形の穴を接続し、筒ＦをピアスのピンｄのカバーＡとして、カバーＡの内側への圧力でキャッチａの渦巻バネｂの円形の穴からカバーＡがはずれないようにした、以上のことを特徴とするピアスキャッチに取り付けるピアスのピンのカバー。
【請求項２】
ピアスのキャッチａの外側の縁に取り付ける、ピアスのピンｄ先を被うカバーＢで、弾力性の有る筒Ｋの片端に二個の切込みＬを筒Ｋの両側面に貫通して開け、筒Ｋの入り口部分において、切込みＬに内向きに対向して突起Ｍを取り付け、筒Ｋの突起Ｍの間を広げ、筒Ｋの向い合った突起Ｍの間にピアスのキャッチａの円形プレートｃの外側の縁を取り付け、筒Ｋの突起Ｍの間を狭めて、弾力性の有るカバーＢの内側への圧力で筒Ｋの突起Ｍとキャッチａの円形プレートｃの外側の縁を固定し、筒ＫをピアスのピンｄのカバーＢとして、カバーＢの内側への圧力でピアスのキャッチの外側の縁からカバーＢがはずれないようにした、以上のことを特徴とするピアスキャッチに取り付けるピアスのピンのカバー。
【請求項３】
ピアスのキャッチａの渦巻バネｂの外側に取り付ける、ピアスのピンｄ先を被うカバーＣで、弾力性の有る筒Ｐの内面の内側に向い合って二個の溝Ｑを彫り、筒Ｐの入り口を広げ、筒Ｐの溝Ｑにピアスのキャッチａの渦巻バネｂの外側を取り付け、筒Ｐの入り口を狭めて、弾力性の有るカバーＣの内側への圧力で筒Ｐの溝Ｑとキャッチａの渦巻バネｂの外側を固定し、筒ＰをピアスのピンのカバーＣとして、カバーＣの内側への圧力で渦巻バネｂの外側とカバーＣの内側の溝Ｑがはずれないようにした、以上のことを特徴とするピアスキャッチに取り付けるピアスのピンのカバー。
【請求項４】
ピアスのキャッチａの渦巻バネｂで囲まれた円形の穴に取り付ける、ピアスのピンｄ先を被うカバーＤで、第２の筒Ｓ１の外側に第１の筒Ｒ１を取り付け、第２の筒Ｓ１と第１の筒Ｒ１とは擦って移動できるようにして筒の全体の長さを調節できるようにし、第１の筒Ｒ１において、第２の筒Ｓ１を取り付ける側と反対側に二個の穴ｈを開けて、キャッチａの渦巻バネｂで囲まれた円形の穴の輪と第１の筒Ｒ１の穴ｈの輪とをつなぎ合わせて取り付けた、以上のことを特徴とするピアスキャッチに取り付けるピアスのピンのカバー。
【請求項５】
ピアスのキャッチに取り付ける、ピアスのピンｄ先を被うカバーＥで、第２の筒Ｗ１の外側に第１の筒Ｖ１を取り付け、第１の筒Ｖ１と第２の筒Ｗ１とは擦って移動できるようにして筒の全体の長さを調節できるようにし、第１の筒Ｖ１において、第２の筒Ｗ１を取り付ける側と反対側の片端がキャッチＵの表面に取り付いた、以上のことを特徴とするピアスキャッチに取り付けるピアスのピンのカバー。